(57)【要約】【課題】本考案は、締め帯の強度が低下することの抑制を図ったリュックサック等の背負い具を提供すること目的とする。【解決手段】リュックサック等の背負い具は、底面部３０と、該底面部の周縁から立設する周面部３１と、を有する袋状のリュックサック本体１と、該リュックサック本体の底面部に対して直交する上下方向の長さ調整をするための締め帯３３と、を備え、締め帯は下端部３３Ｂが底面部及び周面部の各端部３０Ｂ、３１Ｂとともにリュックサック本体の内側に折り込まれ、下端部の先端３３０が折り返された状態で縫着されている。【選択図】図３
0003213902.tif 000002
【実用新案登録請求の範囲】
【請求項１】
底面部と、該底面部の周縁から立設する周面部と、を有する袋状のリュックサック本体と、
該リュックサック本体の前記底面部に対して直交する上下方向の長さ調整をするための締め帯と、を備え、
前記締め帯は、下端部が前記底面部及び前記周面部の各端部とともに前記リュックサック本体の内側に折り込まれ、前記下端部の先端が折り返された状態で縫着されていることを特徴とするリュックサック等の背負い具。
【考案の詳細な説明】
【技術分野】
【０００１】
本考案は、リュックサック等の背負い具に関する。
【背景技術】
【０００２】
従来、例えば、底面部を有する袋状に形成され、上部には開口が設けられ、該開口が、カバーにより被覆可能に設けられたリュックサック本体の背面部の上部に、一端が連結され、先端側の他端には係止具が装着された背負い紐と、前記背面部に下方の一端が引き紐を介して連結され、中間部には長さを長短調節可能な長さ調節手段を有する調節金具が設けられるとともに、該調節金具の上部に前記係止具に係脱可能になる環状係止具を設けることにより前記背負い紐に連結されて該背負い紐に添設される引き締め紐と、を備え、前記カバーの上面に雑のうを着脱可能に取り付けるという、親子式のリュックサック等の背負い具があった（例えば特許文献１参照）。
【先行技術文献】
【特許文献】
【０００３】
【特許文献１】実用新案登録第３１３２３２５号
【考案の概要】
【考案が解決しようとする課題】
【０００４】
しかしながら、従来の親子式のリュックサック等の背負い具には、以下に示す課題があった。図１３は、本考案の課題を説明するための断面図である。即ち、リュックサック本体１００には、上下の長さ調整を行うための締め帯１３０が設けられている。締め帯１３０は、図１３に示すように、下端部が前面部１０１と底面部１０２との間に挟まれ、リュックサック本体１００の内側に折り込まれ、これらの前面部１０１、底面部１０２及び締め帯１３０の各先端１０１Ａ、１０２Ａ、１３０Ａ、が縁取りテープＴで覆われた状態で符号Ｌ１に示す位置で縫着されている。また、リュックサック本体１００において内側に折られた部分Ｌ２は、前面部１０１、底面部１０２及び締め帯１３０が互いに重ねた状態で縫着されている。ここで、締め帯１３０の下端側の先端１３０Ａが切りっぱなしのまま縁取りテープＴで覆われていたから、引っ掛かり等により締め帯１３０に糸抜けが生じて、締め帯１３０の強度が低下する懸念があった。
【０００５】
本考案は、締め帯の強度が低下することの抑制を図ったリュックサック等の背負い具を提供すること目的とする。
【課題を解決するための手段】
【０００６】
本考案は上記課題に鑑みなされ、請求項１に記載の考案は、底面部と、該底面部の周縁から立設する周面部と、を有する袋状のリュックサック本体と、該リュックサック本体の前記底面部に対して直交する上下方向の長さ調整をするための締め帯と、を備え、前記締め帯は、下端部が前記底面部及び前記周面部の各端部とともに前記リュックサック本体の内側に折り込まれ、前記下端部の先端が折り返された状態で縫着されていることを特徴とする。
【考案の効果】
【０００７】
本考案の請求項１に記載の考案によれば、締め帯は、下端部が底面部及び周面部の各端部とともにリュックサック本体の内側に折り込まれ、下端部の先端が折り返された状態で縫着されているから、引っ掛かり等により締め帯に糸抜けが生じ難くされて、締め帯の強度が低下することの抑制を図ることができる。
【図面の簡単な説明】
【０００８】
【図１】本考案のリュックサック等の背負い具の実施形態を示し、親リュックサックに雑のうを組付けた状態の斜視図である。
【図２】親リュックサックから雑のうを分離した状態の分解斜視図である。
【図３】図１中のＩ−Ｉ線に沿う断面図である。
【図４】親リュックサックを示す斜視図である。
【図５】親リュックサックを背面側から見た斜視図である。
【図６】図５における円Ｐ内の拡大正面図である。
【図７】本実施形態で使用する調節金具の拡大正面図である。
【図８】調節金具、および係止具の拡大側面図である。
【図９】親リュックサックの正面図である。
【図１０】親リュックサックの背面図である。
【図１１】本考案のリュックサック等の背負い具を構成する雑のうを示す背面図である。
【図１２】図１１のＹ矢斜視図である。
【図１３】本考案の課題を説明するための断面図である。
【考案を実施するための形態】
【０００９】
以下、図面に従って本考案の実施の最良の形態により、本考案の詳細を説明する。
【００１０】
図１は本考案のリュックサック等の背負い具の実施形態を示し、親リュックサックに雑のうを組付けた状態の斜視図、図２は同じく親リュックサックから雑のうを分離した状態の分解斜視図、図３は図１中のＩ−Ｉ線に沿う断面図、図４は同じく親リュックサックを示す斜視図、図５は同じく親リュックサックを背面側から見た斜視図、図６は図５における円Ｐ内の拡大正面図、図７は本実施形態で使用する調節金具の拡大正面図、図８は同じく係止部、および調節金具の拡大側面図、図９は同じく親リュックサックの正面図、図１０は同じく親リュックサックの背面図、図１１は本考案のリュックサック等の背負い具を構成する雑のうを示す背面図、図１２は図１１のＹ矢斜視図である。
【００１１】
本実施形態のリュックサック等の背負い具は、雑のうＢをリュックサック本体１の上部に設けた開口Ｋを被覆可能に設けた後記カバー１３を介して着脱可能に取り付ける親リュックサックＡに適用した場合を示している。
【００１２】
図において、この親リュックサックＡを詳細に説明すると、この親リュックサックＡは、リュックサック本体１、または／および雑のう本体２の背面３,３′の上部に、一端４ａ,４′ａが連結され、先端側の他端４ｂ,４′ｂには係止具Ｇが装着された背負い紐４,４；４′,４′と、前記背面３,３′に下方の一端が引き紐６を介して連結され、中間部には長さを長短調節可能な長さ調節手段８を有する調節金具７が設けられるとともに、該調節金具７の上部に前記係止具Ｇに係脱可能になる環状係止具１０を設けることにより前記背負い紐４,４；４′,４′に連結されて該背負い紐４,４；４′,４′に添設される引き締め紐９とを備えたリュックサック等の背負い具における点は例えば特許文献１に記載の従来の親子式のリュックサック等の背負い具と同様の構成である。
【００１３】
しかしながら、本実施形態では、図６ないし図８に示すように、前記調節金具７が、前記環状係止具１０に代えた角環１０Ａを前記長さ調節手段８に結合するのに、連結帯体１１を三重に両端１１ａ,１１ｂを対向して折り重ねて前記連結帯体１１の両端部に形成されるループ１２ａ,１２ｂ内に前記角環１０Ａと前記調節金具７との各取付環部１０ａ,７ａを挿通させるとともに、前記ループ１２ａ,１２ｂの内側を縫着したことにより前記連結帯体１１を介して前記角環１０Ａを前記長さ調節手段８に結合している。
【００１４】
また、前記リュックサック本体１が、図１、図２に示すように、布を用いて袋状に形成され、上部には開口Ｋ（図２に示す）が設けられ、該開口Ｋが、カバー１３により被覆可能に設けられる。前記リュックサック本体１は、図１、図３に示すように、長方形状の底面部３０と、該底面部３０の周縁から立設するとともに背面３（図５に示す）を含む周面部３１と、を有して形成されている。底面部３０には、図３に示すように、内面（リュックサック本体１の内側）に裏生地３０Ａが重ねて設けられている。また、前記リュックサック本体１は、図１に示すように、上下に仕切られた２つの収容室Ｓ１、Ｓ２を有している。２つの収容室Ｓ１、Ｓ２のうち、下側に位置する収容室Ｓ２（以下、下方側収容室Ｓ２と記す）には、上下方向の長さ調整をするための調整機構３５が設けられている。調整機構３５は、環状金具３２Ａを有する吊り帯３２と、上端部３３Ａが環状金具３２Ａの内部を潜ってＵ字状に折り返される締め帯３３と、を備えている。
【００１５】
締め帯３３は、図３に示すように、下端部３３Ｂが、底面部３０及び周面部３１の各端部３０Ｂ、３１Ｂとともにリュックサック本体１の内側に折り込まれ、下端部３３Ｂの先端３３０が折り返された状態で、縁取りテープＴにより覆われて縫着されている。底面部３０、周面部３１、締め帯３３及び縁取りテープＴは、図３に示すように、互いに重ねた状態で、1箇所Ｌ１で縫着されている。また、リュックサック本体１において内側に折られた部分Ｌ２は、底面部３０、周面部３１及び締め帯３３が互いに重ねた状態で縫着されている。このように、締め帯３３の下端側の先端３３０が折り返されて縫着されていることで、引っ掛かり等により締め帯３３に糸抜けが生じ難くされて、締め帯３３の強度が低下することの抑制を図ることができる。
【００１６】
また、前記リュックサック本体１は、背中が接触する前記リュックサック本体１の前記背面３の下部に１対の腰ベルト１４,１４の一端１４ａ,１４ａが縫着され、該腰ベルト１４,１４の他端１４ｂ,１４ｂは結合手段１５を介して結合可能に設けられ、該腰ベルト１４,１４の中間部には前記引き紐６,６の一端６ａ,６ａが縫着され、前記引き締め紐９,９は、前記背面３の上部に一端９ａ,９ａが取付けられ、他端側９ｂ,９ｂには前記係止具Ｇが設けられ、前記カバー１３の周縁部の他端１３ａにはリュックサック本体１の表面側の上部に設けた雄型の上部係止具１６Ａ,１６Ａが係脱可能になる雌型の上部係止具１６Ｂ,１６Ｂが設けられた親リュックサックＡに形成される（図２参照）。
【００１７】
そして、本実施形態では雑のうＢは、親リュックサックＡの前記カバー１３の上面に設けた前記上部係止金具１６Ａ,１６Ａに係脱可能に前記雑のうＢの対応個所に設けた雌型の上部係止金具１７,１７を用いて着脱可能に取り付けられることにより、親リュックサックＡと一緒にその上部に背負い紐４,４により背負われて使用に供されてもよいし、または、雑のうＢは、親リュックサックＡと分離されて背負い紐４′,４′を用いて背負われるか、雑のう本体２の上部に設けられた把手４′Ａを把持して単独で携行する等の単独使用も行うことができる。１７′はカバー１３′の内側に設けられた連結係止具であり、この連結係止具１７′は、リュックサック本体１の背面に対応して設けられた雄型の上部係止具１６′Ａ,１６′Ａが係脱可能になる。
【００１８】
前記結合手段１５は、一方の腰ベルト１４の他端１４ｂに設けられた雄状係止具１５Ａと、この雄状係止具１５Ａの先端部が係脱可能に嵌入され、他方の腰ベルト１４の他端１４ｂに対向して設けられた雌状係止具１５Ｂとにより形成される。この雄状係止具１５Ａと、雌状係止具１５Ｂとは、例えば、公知のものが使用される。
【００１９】
また、前記係止具Ｇが、本実施形態では図６、図７、図８に示すように、前記角環１０Ａ内に挿入可能に前記背負い紐４,４；４′,４′の先端部他端に設けた小径の鎖状用角環１８と、前記背負い紐４,４；４′,４′の表面に添設した引き締め紐９,９の先端に設けられる二股状部片の一方９Ａに装着され、前記鎖状用角環１８の外方側の開口部に係脱可能になる弾性係止鉤１９ａ,１９ａを対向して有する雄状係止部材１９と、前記二股状部片の他方９Ｂに連結帯体１１の対応個所に設けた雄状スナップ２０Ａ、または図には示さない雌状スナップの何れかに嵌脱可能に嵌入された雌状スナップ２０Ｂ、または図には示さない雄状スナップの何れかと、により形成されている。
【００２０】
このように、係止具Ｇが、背負い紐４,４′の先端部他端に装着した小径の鎖状用角環１８を引き紐６の一端に設けられた角環１８内に挿入されるとともに、引き締め紐９,９の先端に設けられる二股状部片の一方９Ａに装着した雄状係止部材１９の対向する弾性係止鉤１９ａ,１９ａを前記鎖状用角環１８の外方側の開口部内に係挿することで雄状係止部材１９により角環１０Ａ内に挿入されている小径の鎖状用角環１８の抜け出しを規制し、しかも、連結帯体１１に設ける雄状スナップ２０Ａが二股状部片の他方９Ｂに設けた雌状スナップ２０Ｂに嵌脱可能に嵌入することにより、二股状部片の他方９Ｂにより調節金具７を連結している連結帯体１１に対する不用意な動きを拘束するようにしたのは、背負い紐４,４′に対して引き紐６を調節金具７を介して固定するとともに、引き紐６に対して引き締め紐９を雄状スナップ２０Ａと、雌状スナップ２０Ｂとを介して固定することにより引き紐６と連結帯体１１とを堅牢かつ確実に一体化して安全性を高めるものである。
【００２１】
そして、何らか緊急事態が発生するなどして、急いでリュックサック本体１を背中から脱ぐ必要を生じた場合には、雄状スナップ２０Ａと、雌状スナップ２０Ｂとの嵌合を解くことにより、引き紐６に対する引き締め紐９の拘束を解くとともに、雄状係止部材１９の対向する弾性係止鉤１９ａ,１９ａを対向する方向にその弾性復元力に抗して押し窄めて弾性係止鉤１９ａ,１９ａの鎖状用角環１８に対する係合を解き、背負い紐４,４；４′,４′に対する引き締め紐９,９の結合を解いて背負い紐４,４；４′,４′と、引き締め紐９,９とが上下に分離し、リュックサック本体１を容易且つ迅速に背中から脱げるようにするためである。
【００２２】
前記調節金具７が、図示する本実施形態では、図７，図８に示すように、前記取付環部７ａ,７ｂを上端および下端に設けた調節金具基板７Ａと、該調節金具基板７Ａに軸体Ｊにより枢着されるとともに、該軸体Ｊに捲回された捲ばね２１の附勢力により常時、閉方向に附勢されるカム形状の取付管部２２と、該取付管部２２の内側端に突出され、該取付管部２２と前記調節金具基板７Ａとの間に挿通された引き紐６に食い込み可能に設けられた有歯刃２２Ａと、を備える長さ調節手段８を設けている。そして、このカム形状の取付管部２２を捲ばね２１の附勢力に抗して軸体Ｊを中心に開方向へ回動させて引き紐６に対する有歯刃２２Ａの食い込みを解除することにより引き紐６の長さを長短調節して背負い紐４,４にてリュックサック本体１を使用者の体格に応じて背負い易く緊張度を加減するようになっている。
【００２３】
本実施形態のリュックサック等の背負い具は上記構成からなり、引き紐６の中間部に設けられた前記調節金具７が、環状係止具１０に代えて用いられた角環１０Ａを前記長さ調節手段８に結合するには、連結帯体１１を三重になるように両端１１ａ,１１ｂを対向して折り重ねることにより連結帯体１１の両端部に形成されるループ１２ａ,１２ｂ内に前記角環１０Ａと前記調節金具７との各取付環部１０ａ,７ａを挿通させるとともに、前記ループ１２ａ,１２ｂの内側を縫着することにより前記連結帯体１１を介して前記角環１０Ａを前記長さ調節手段８に結合しているので、例えば、布を用いて袋状に形成されたリュックサック本体１内に多くの荷物（図示せず）を詰め込んだり、または、重い荷物（図示せず）をリュックサック本体１内に詰め込んだりすることにより、リュックサック本体１に大きな荷重Ｗがかかる場合に、リュックサック本体１の背面３に取付けられる左右の背負い紐４,４；４′,４′の先端に設けた係止具Ｇに係脱可能になる角環１０Ａは、特許文献１のように取付部品としての鳩目部品を用いずに、連結帯体１１に孔を開けずに調節金具７に取付けられるから、連結帯体１１が荷重Ｗや疲労に耐えて強度が増すことにより構造的に堅牢になるため、引き紐６は角環１０Ａの取付個所に大きな荷重がかかっても耐え、引きちぎれたり、切断することなく、構造的に堅牢になる。
【００２４】
また、荷物（図には示さず）が詰め込まれた雑のうＢをリュックサック本体１の上方に設けた開口Ｋを覆うカバー１３の上面に、上部係止具１６Ａ,１７；１６Ａ,１７；上部係止具１６′Ａと、連結係止具１７′とが係合することにより取付けることによってリュックサック本体１自体と、雑のう本体２とを合算した、リュックサック本体１を単独に用いる時よりもさらに大きな荷重Ｗ１がかかる場合にも、背負い紐４,４；４′,４′に設けた係止具Ｇに係脱可能になる角環１０Ａを調節金具７に取り付ける連結帯体１１,１１の強度が増すことにより構造的に堅牢になるため、引き紐６,６は角環１０Ａ,１０Ａの取付個所に大きな荷重Ｗ１がかかっても耐え、引きちぎれたり、連結帯体１１,１１が切断することなく、構造的に堅牢になる。
【００２５】
さらに、雑のうＢを親リュックサックＡと分離して単独に使用する場合も、前述の親リュックサックＡを単独に使用する場合と同様に、雑のう本体２の背面３′に取付けられる背負い紐４′,４′に設けた係止具Ｇに係脱可能に結合される調節金具７,７における角環１０Ａ,１０Ａの調節金具基板７Ａ,７Ａに対する取付強度は、増し、引き紐６,６の連結帯体１１,１１が大きな荷重Ｗ２を受けても引きちぎれるがなく、大きな取付強度にて構造堅牢に取付けることができる。
【００２６】
そして、背負い紐４,４；４′,４′の先端部他端に設けられた前記係止具Ｇが、本実施形態では図６、図７、図８に示すように、前記角環１０Ａ内に挿入可能に前記背負い紐４,４′の先端部他端に設けた小径の鎖状用角環１８と、前記背負い紐４,４；４′,４′の表面に添設した引き締め紐９,９の先端に設けられる二股状部片の一方９Ａに装着され、前記鎖状用角環１８の外方側の開口部に係脱可能になる弾性係止鉤１９ａ,１９ａを対向して有する雄状係止部材１９と、前記二股状部片の他方９Ｂに連結帯体１１の対応個所に設けた雄状スナップ２０Ａ、または図には示さない雌状スナップの何れかに嵌脱可能に嵌入された雌状スナップ２０Ｂ、または図には示さない雄状スナップの何れかと、により形成されているので、背負い紐４,４の先端部他端に装着した小径の鎖状用角環１８を引き紐６の一端に設けられた角環１０内に挿入されるとともに、引き締め紐９,９の先端に設けられる二股状部片の一方９Ａに装着した雄状係止部材１９の対向する弾性係止鉤１９ａ,１９ａを前記鎖状用角環１８の外方側の開口部内に係挿することで雄状係止部材１９により角環１０Ａ内に挿入されている小径の鎖状用角環１８の抜け出しを規制することができる。しかも、連結帯体１１に設ける雄状スナップ２０Ａが二股状部片の他方９Ｂに設けた雌状スナップ２０Ｂに嵌脱可能に嵌入することにより、二股状部片の他方９Ｂにより調節金具７を連結している連結帯体１１に対する不用意な動きを拘束することができ、背負い紐４,４に対して引き紐６を調節金具７を介して固定することができるとともに、引き紐６に対して引き締め紐９を雄状スナップ２０Ａと、雌状スナップ２０Ｂとで固定することができ、引き紐６と連結帯体１１とを堅牢かつ確実に一体化して安全性を高めることができる。
【００２７】
そして、何らか緊急事態が発生するなどして急いでリュックサック本体１を背中から脱ぐ必要を生じた場合には、雄状スナップ２０Ａと、雌状スナップ２０Ｂとの嵌合を解くことにより、引き紐６に対する引き締め紐９の拘束を解くとともに、雄状係止部材１９の対向する弾性係止鉤１９ａ,１９ａを対向する方向に弾性復元力に抗して押し窄めると、弾性係止鉤１９ａ,１９ａの鎖状用角環１８に対する係合が解かれ、背負い紐４,４；４′,４′に対する引き締め紐９,９の結合は解かれる。そして、背負い紐４,４；４′,４′と、引き締め紐９,９とが分離され、リュックサック本体１を容易且つ迅速に背中から脱ぐことができる。
【００２８】
また、本実施形態の調節金具７は、取付環部７ａ,７ｂを上端および下端に設けた調節金具基板７Ａと、該調節金具基板７Ａに軸体Ｊにより枢着されるとともに、該軸体Ｊに捲回された捲ばね２１の附勢力により閉方向に附勢されるカム形状の取付管部２２と、該取付管部２２と前記調節金具基板７Ａとの間には引き紐６が挿通されて取付管部２２の内側端に突出された有歯刃２２Ａがカム作用により引き紐６に食い込まれているので、カム形状の取付管部１０ａを捲ばね２１の附勢力に抗して軸体Ｊを中心に開方向に回動させることにより引き紐６に対する有歯刃２２Ａの食い込みを解除して引き紐６の長さを長短調節し、背負い紐４,４；４′,４′に対する緊張を加減することができる。
【符号の説明】
【００２９】
１      リュックサック本体
３０     底面部
３０Ｂ   底面部の端部
３１     周面部
３１Ｂ   周面部の端部
３３     締め帯
３３Ｂ   締め帯の下端部
３３０   締め帯の下端部の先端
【図１】
0003213902.tif 000003
【図２】
0003213902.tif 000004
【図３】
0003213902.tif 000005
【図４】
0003213902.tif 000006
【図５】
0003213902.tif 000007
【図６】
0003213902.tif 000008
【図７】
0003213902.tif 000009
【図８】
0003213902.tif 000010
【図９】
0003213902.tif 000011
【図１０】
0003213902.tif 000012
【図１１】
0003213902.tif 000013
【図１２】
0003213902.tif 000014
【図１３】
0003213902.tif 000015